(57)【要約】【課題】  扉に簡単に取付けることができ、操作性も良好な落とし棒ストッパーの提供。【解決手段】  取付具１と、可動具２と、付勢具３とを備え、取付具１は、一方の扉４の戸先側における他方の扉５との対向面６に取付けるものであり、可動具２は、回転規制部７とストッパー部８とを有し、取付具１に対して前後方向軸２６により回転自在に取付けてあり、回転規制部７は、両扉が閉状態のときに両扉間の隙間１０に位置し、何れか一方の扉を開いたときに回転自在になるものであり、ストッパー部８は、一方の扉４の戸先側後面に配置した落とし棒９の上端面に対向する位置から退避する位置まで回転するものであり、付勢具３は、取付具１と可動具２の間に設けてあり、ストッパー部８が落とし棒９の上端面と対向する位置にある方向に可動具２を付勢するものであり、両扉が閉状態のときにストッパー部８が落とし棒９の上端面と対向し且つ回転規制部７が両扉間の隙間１０に位置している。【選択図】      図１
2006063751.tif 000002
【特許請求の範囲】
【請求項１】
取付具と、可動具と、付勢具とを備え、取付具は、一方の扉の戸先側における他方の扉との対向面に取付けるものであり、可動具は、回転規制部とストッパー部とを有し、取付具に対して前後方向軸により回転自在に取付けてあり、回転規制部は、両扉が閉状態のときに両扉間の隙間に位置し、何れか一方の扉を開いたときに回転自在になるものであり、ストッパー部は、一方の扉の戸先側後面に配置した落とし棒の上端面に対向する位置から退避する位置まで回転するものであり、付勢具は、取付具と可動具の間に設けてあり、ストッパー部が落とし棒の上端面と対向する位置にある方向に可動具を付勢するものであり、両扉が閉状態のときにストッパー部が落とし棒の上端面と対向し且つ回転規制部が両扉間の隙間に位置していることを特徴とする落とし棒ストッパー。
【発明の詳細な説明】
【技術分野】
【０００１】
本発明は、両開き扉の落とし棒の防犯用のストッパーに関する。
【背景技術】
【０００２】
両開き式の門扉では、一方の扉に落とし棒が、他方の扉にシリンダー錠等の錠がそれぞれ設けてあり、扉に鍵を掛けるときは、落とし棒を地面に形成した受け穴に落とし込んで一方の扉を固定した上で、他方の扉の錠を操作して錠の鎌やデッドボルトを一方の扉に形成してある錠受けに係合し、扉がロックされる。落とし棒は、通常は一方の扉の戸先框の敷地側の面に取付けたガイド部材に上下動自在に且つ軸心まわりに回動自在に支持し、上部に操作用の摘みを突設してあり、摘みを持って敷地側から容易に上下操作できるようになっている。
【０００３】
門扉では、扉の下面と地面の間が比較的広く空いていて、その空間に敷地の外側から手を伸ばして落とし棒が持ち上げられることがあり、また門扉の扉には縦格子やメッシュパネルのような隙間が大きく空いたものが用いられることも多く、扉のそうした隙間から手を伸ばして落とし棒が持ち上げられることもある。落とし棒が持ち上げられて地面の受け穴から引き抜かれた状態で扉を前後に強く押すと、錠が掛かっていても扉が開いてしまうおそれがある。これを防止するため、特許文献１や特許文献２には、扉が閉じた状態で落とし棒を持ち上げることができないようにしたものが記載されている。特許文献１記載のものは、落とし棒を一方の扉の戸先框に内蔵してあり、落とし棒の摘みを戸先框の他方の扉との対向面に形成した開口から外に出さないと落とし棒を持ち上げられないようにして、門扉が閉じた状態で落とし棒が持ち上げられるのを阻止している。特許文献２記載のものは、落とし棒の摘みに両扉間の召し合せの隙間に介在させうる回り止め部を設けると共に、落とし棒のガイド部に、回り止め部が召し合せに介在した状態で落とし棒の上昇を規制する上り止め部を設けることで、門扉が閉じた状態で落とし棒が持ち上げられないようにしている。
【特許文献１】特開２００３−１９３７７９号公報
【特許文献２】実開平５−４０６００号公報
【発明の開示】
【発明が解決しようとする課題】
【０００４】
上記の特許文献１記載のものは、扉の戸先框に、落とし棒の摘みが上下する開口や落とし棒が出入りする孔を加工しなければならず、コストが増大する。また、敷地の住人が門扉を開けるために落とし棒を持ち上げるときでも、落とし棒の摘みを戸先框の狭い開口からつまみ出さなければならず、落とし棒の操作性が悪くなる。特許文献２記載のものは、落とし棒に回り止め部を溶接等で取付けなければならず、さらに扉の方に上り止め部を取付けなければならないので、取付けが面倒である。本発明は以上に述べた実情に鑑みてなされたものであって、扉に簡単に取付けることができ、操作性も良好な落とし棒ストッパーの提供を目的とする。
【課題を解決するための手段】
【０００５】
上記の課題を達成するために本発明の落とし棒ストッパーは、取付具と、可動具と、付勢具とを備え、取付具は、一方の扉の戸先側における他方の扉との対向面に取付けるものであり、可動具は、回転規制部とストッパー部とを有し、取付具に対して前後方向軸により回転自在に取付けてあり、回転規制部は、両扉が閉状態のときに両扉間の隙間に位置し、何れか一方の扉を開いたときに回転自在になるものであり、ストッパー部は、一方の扉の戸先側後面に配置した落とし棒の上端面に対向する位置から退避する位置まで回転するものであり、付勢具は、取付具と可動具の間に設けてあり、ストッパー部が落とし棒の上端面と対向する位置にある方向に可動具を付勢するものであり、両扉が閉状態のときにストッパー部が落とし棒の上端面と対向し且つ回転規制部が両扉間の隙間に位置していることを特徴とする。
【０００６】
本発明による落とし棒ストッパーは、両扉が閉状態のときに可動具は回転規制部が両扉間の隙間に位置しているために回転が規制され、このときストッパー部が落とし棒の上端面と対向しているので、落とし棒の上昇がストッパー部によって阻止される。何れか一方の扉を開いた時には、回転規制部を指で摘む等して可動具を簡単に回転させることができ、回転するとストッパー部が落とし棒の上端面と対向する位置から退避し、ストッパーが解除される。
【発明の効果】
【０００７】
本発明による落とし棒ストッパーは、落とし棒とは別に扉に単に付加するものとなっており、取付具を一方の扉の戸先側における他方の扉との対向面にネジ等で固定するだけで簡単に設置できる。落とし棒ストッパーの付いていない扉に後から設置することも容易である。ストッパーの解除は、回転規制部を指で摘む等して可動具を回転させるだけなので、操作性が良好である。また、一方の扉が開いた状態では、可動具を指で回転させることなく、落とし棒でストッパー部を突き上げて可動具を回転させることもできる。
【発明を実施するための最良の形態】
【０００８】
以下、本発明の実施の形態を図面に基づいて説明する。図５は、敷地の境界線上に設けたメッシュフェンス１１を敷地側（後側）から見た図であり、メッシュフェンス１１の中間部に開放部を設け、開放部に敷地への出入りのために両開き式の門扉１２を取付けてある。門扉１２は、間隔をおいて起立する２本の柱１３に、左右の扉４，５をそれぞれヒンジ１４で回動自在に取付けたものである。各扉４，５は、吊元框１５ａ，１５ｂと戸先框１６ａ，１６ｂの間に、それぞれフェンス部分と同様のメッシュパネル１７が取付けてある。図１中の１８は、メッシュパネル１７を固定している金具である。
【０００９】
敷地側から見て左側の扉４の戸先框１６ａの敷地側の下部には落し棒９を設けてあり、右側の扉５の戸先側にはシリンダー錠１９を設けてある。落し棒９は、図１と図３に示すように、断面略Ｃ字状のガイド部材２０に挿通保持してあり、落とし棒９の摘み２１を手前側に向けてガイド部材２０の切り欠き溝に通すと上下動自在となり、地面に形成した受け穴２２に落とし棒９の下端部を落し込むことで、左側の扉４が開かないように固定される。さらに右側の扉５のシリンダー錠１９を操作して、シリンダー錠の鎌２３を左側の扉４の戸先框１６ａの錠受けに係合すれば、左右の扉４，５が閉状態でロックされる。図２に示すように、落とし棒９を持ち上げて摘み２１が横向きとなるように回転させてガイド部材２０の上縁に係止すれば、落とし棒９が受け穴２２から抜けた上昇位置に保持され、左側の扉４が開くようになる。
【００１０】
さらに左側の扉４の戸先框１６ａには、落とし棒９の上方位置に落とし棒ストッパー２４を取付けてある。落とし棒ストッパー２４は、図４に示すように、戸先框１６ａの右側の扉５との対向面６にネジ２５で取付ける取付具１と、取付具１の上部に前後方向軸２６で回転自在に軸着した可動具２を備えている。可動具２は、金属板を曲げ加工して形成したものであり、取付具１に連結される連結板部２７と、連結板部２７の前側の端部を右側の扉５側に直角に折り曲げて形成した回転規制部７と、連結板部２７の後側より下方に延出した突部を回転規制部７とは逆に扉の吊元側に向かって水平に折り曲げて形成したストッパー部８とを有している。可動具２は、前後方向軸２６に挿通保持した捩りバネ３で反時計回りに付勢してあり、図１に示すように、両扉４，５を閉じて落とし棒９を下げた状態では、連結板部２７が戸先框１６ａの他方の扉５との対向面６に当接し、回転規制部７は図３に示すように両扉４，５間の隙間１０に位置し、ストッパー部８は落とし棒９の上端面と対向している。回転規制部７は、戸先框１６ａ，１６ｂの前後方向のほぼ真ん中に位置している。
【００１１】
この状態で落とし棒９を持ち上げようとすると、落とし棒９の上端面がストッパー部８に当たって押し上げ、可動具２を時計回りに回転させようとするが、回転規制部７が両扉間の隙間１０に位置しているので可動具２は右側の扉５に当たり回転することができず、したがって落とし棒９を持ち上げることができない。右側の扉５を開けた状態では、回転規制部７を指で摘んで可動具２を容易に回転させることができ、回転すると図２に示すようにストッパー部８が落とし棒９の上方から退避するので、落とし棒９を普通に持ち上げることができる。なお、回転規制部７を持って可動具２を回転させることなく、落とし棒９で突き上げて可動具２を回転させることもできる。本落とし棒ストッパー２４は、構造が簡単で安価に製作することができ、扉に特別な加工を行うことなく簡単に取付けできる。
【００１２】
本発明は以上に述べた実施形態に限定されない。可動具は、回転規制部とストッパー部とを有し、両者が一体となって回転するものであればよく、各部の形状、材質、製作方法は、必要な機能を発揮し得る範囲で適宜変更できる。取付具は、一方の扉にネジ止めするのが便宜であるが、釘で固定したり、溶接で取付けてもよい。本発明の落とし棒ストッパーは、落とし棒の付いた両開き扉であれば、門扉に限らずあらゆる種類の扉に使用できる。
【図面の簡単な説明】
【００１３】
【図１】図５におけるＡ部の拡大図であって、両扉を閉じて落とし棒を下げた状態を示している。
【図２】図１と同じ部分の拡大図であって、右側の扉を開いて落とし棒を上げた状態を示している。
【図３】図１のＡ−Ａ断面図である。
【図４】落とし棒ストッパーを他方の扉側から見た図である。
【図５】メッシュフェンス及び門扉を敷地側から見た図である。
【符号の説明】
【００１４】
１  取付具
２  可動具
３  捩りバネ（付勢具）
４  左側の扉（一方の扉）
５  右側の扉（他方の扉）
６  他方の扉との対向面
７  回転規制部
８  ストッパー部
９  落とし棒
１０  両扉間の隙間
２４  落とし棒ストッパー
２６  前後方向軸
【図１】
2006063751.tif 000003
【図２】
2006063751.tif 000004
【図３】
2006063751.tif 000005
【図４】
2006063751.tif 000006
【図５】
2006063751.tif 000007